(57)【要約】  【解決手段】  ファンホイールの羽根の軸方向の高さは部分的に気流通路の内部に収容されることにより、ファンホイールは風進入口と側面風進入口から同期に風を進入させ、そして上記風を風排出口から予定された方向へ向かって排出させるように構成されている。  【効果】  導風座には気流通路が設けられ、気流通路により気流の流動方向を導引したり、または風圧を増やしたりすることができると同時に、蓋板と導風座の間にはさらに複数個の側面風進入口が形成されることにより、風の進入量を増やすことができるため、蓋板とファンホイールのファンモジュールとの組立の設計の自由度を確実に増やすことができると共に、放熱ファンの全体の放熱の効率を高めることができる。【選択図】    図１
2005127308.tif 000002
【特許請求の範囲】
【請求項１】
蓋板（１０）、ファンホイール（２０）、導風座（３０）および複数個の側面風進入口（３４）により構成される導風構造を有する放熱ファンであって、蓋板（１０）には風進入口（１１）と座板（１２）が設けられ、ファンホイール（２０）の外周面には複数個の羽根（２１）が設けられ、ファンホイール（２０）は座板（１２）に結合されることができ、導風座（３０）には気流通路（３２）と風排出口（３３）が設けられ、ファンホイール（２０）の羽根（２１）の軸方向の高さは部分的に気流通路（３２）の内部に収容され、複数個の側面風進入口（３４）は蓋板（１０）と導風座（３０）の間に形成されることにより、ファンホイール（２０）は風進入口（１１）と側面風進入口（３４）から同期に風を進入させ、そして上記風を風排出口（３３）から予定された方向へ向かって排出させることを特徴とする導風構造を有する放熱ファン。
【請求項２】
蓋板（１０）には複数個の第一結合部（１４）が設けられ、導風座（３０）には複数個の第二結合部（３１）が設けられ、蓋板（１０）と導風座（３０）は第一結合部（１４）と第二結合部（３１）により対応するように組み立てて結合することを特徴とする請求項１記載の導風構造を有する放熱ファン。
【請求項３】
第一結合部（１４）は結合孔からなり、さらに第二結合部（３１）は結合柱からなることを特徴とする請求項２記載の導風構造を有する放熱ファン。
【請求項４】
第一結合部（１４）は結合柱からなり、さらに第二結合部（３１）は結合孔からなることを特徴とする請求項２記載の導風構造を有する放熱ファン。
【請求項５】
ファンホイール（２０）は蓋板（１０）の座板（１２）の上表面に結合されることを特徴とする請求項１記載の導風構造を有する放熱ファン。
【請求項６】
ファンホイール（２０）は蓋板（１０）の座板（１２）の下表面に結合されることを特徴とする請求項１記載の導風構造を有する放熱ファン。
【請求項７】
導風座（３０）の気流通路（３２）は風排出口（３３）側における断面積が風進入口（１１）側の断面積より小さくなり、さらに気流通路（３２）は倒立円錐状に形成されることにより、加圧の効果が形成されることを特徴とする請求項１記載の導風構造を有する放熱ファン。
【請求項８】
導風座（３０）の気流通路（３２）は予定された方向へ向かって傾斜するように形成されることにより、気流を予定された方向へ流動するように導引することを特徴とする請求項１記載の導風構造を有する放熱ファン。
【請求項９】
蓋板（１０）は底面の周縁から下方へ延伸するように複数個の第一支柱（１５）が形成され、第一支柱（１５）は側面風進入口（３４）に位置するように形成されることにより、異物の吸入を防止すると共に、放熱ファンの構造の強度を高めることができることを特徴とする請求項１記載の導風構造を有する放熱ファン。
【請求項１０】
導風座（３０）は上面の周縁から上方へ延伸するように複数個の第二支柱（３５）が形成され、第二支柱（３５）は側面風進入口（３４）に位置するように形成されることにより、異物の吸入を防止すると共に、放熱ファンの構造の強度を高めることができることを特徴とする請求項１記載の導風構造を有する放熱ファン。
【請求項１１】
蓋板（１０）は複数個のリブ（１３）により座板（１２）に連接されることを特徴とする請求項１記載の導風構造を有する放熱ファン。
【請求項１２】
蓋板（１０）のリブ（１３）はファンホイール（２０）の羽根（２１）の下方において複数個の導風静的羽根（１３１）が形成されることにより、気流を導引すると共に風圧を増やすことができることを特徴とする請求項１１記載の導風構造を有する放熱ファン。
【請求項１３】
導風静的羽根（１３１）は羽根（２１）に対して略反対の傾斜角度を有するように形成されることを特徴とする請求項１２記載の導風構造を有する放熱ファン。
【発明の詳細な説明】
【技術分野】
【０００１】
本発明は、導風構造を有する放熱ファンに関するもので、特に放熱ファンが導風座と結合することにより、気流を導引し、風の進入量を増やし、さらに風圧を高めることができる導風構造に係るものである。
【背景技術】
【０００２】
従来の放熱ファンの殻体構造としては、主に蓋板、ファンホイールと放熱片が含まれ、上記蓋板には風進入口と座板が設けられ、上記ファンホイールは例えば座板の上部または下部に取り付けられ、上記蓋板は上記放熱片の上に固設される。上記放熱片を放熱しようとする物件（例えば中央処理器）の上に組み立てられる。これにより、運転時において上記ファンホイールは風進入口から風を進入させ、そして気流を上記放熱片に吹き付けることにより放熱を行なうようにとしたものがある（例えば、特許文献１、２、３、４を参照）。
【０００３】
また、従来の放熱ファンの殻体構造としては、軸流式のファンにおいて殻体とファンホイールが含まれ、上記殻体は風排出口側において基座が設けられ、上記基座は回動自在に上記ファンホイールに結合され、上記殻体の風進入口側において風進入口から周縁に向かって延伸して複数個の半径方向の風進入口が形成され、上記ファンホイールの複数個の羽根の上縁端から半径方向へ外へ向かって延伸して複数個の増風導引板が形成され、上記羽根の増風導引板が上記殻体の半径方向の風進入口とちょうど位置が合うことにより、上記軸流式ファンは風進入量を増やすことができるようにしたものがある（例えば、特許文献５を参照）。
【特許文献１】中華民国公告番号第２７９５１８号
【特許文献２】中華民国公告番号第３４３７５３号
【特許文献３】中華民国公告番号第３６４６１８号
【特許文献４】アメリカ特許番号第５，５８２，５０６号
【特許文献５】中華民国公告番号第５４０６４１号
【発明の開示】
【発明が解決しようとする課題】
【０００４】
上記のような従来の放熱ファンの殻体構造においては、各放熱ファンには放熱の功能を有しているが、上記放熱ファンの気流は放熱片の放熱フィンの方向に沿って勢いよくサイド方向にしか排出することができず、また放熱気流は上記放熱片を通して放熱しようとする物件に対して放熱を行なわなければならないため、上記放熱ファンでは気流を導引して真下方の位置から排出することができず、または真下方の位置における放熱しようとする物件に対して直接放熱を行なうことができない。また、蓋板とファンホイールのファンモジュールは上記放熱片と合わせて使用しなければならず、上記蓋板とファンホイールのファンモジュールの適用範囲は制限されてしまうため、各種の異なる形式の放熱ファンの製造コストを有効に抑えることができない。さらに、上記ファンホイールは上記蓋板の風進入口からしか気流を導入することができないため、その風進入量を有効に増やすことができない。同時に、上記放熱片には風圧を増やす効果を有していない。その結果、実際に使用してみると、上述した問題点によれば上記放熱ファンの適用範囲とその放熱の効率に対して厳重な影響を及ぼしてしまうという問題点があった。
【０００５】
また、上記のような従来の放熱ファンの殻体構造においては、上記ファンホイールを上記殻体の基座に取り付けなければならないため、単一規格の殻体は特定の規格のファンホイールとしか合わせて使用することができず、上記殻体とファンホイールの適用範囲も制限されてしまうため、各種の異なる形式の放熱ファンの製造コストを有効に抑えることができない。その他に、上記羽根の増風導引板は半径方向の風進入口からしか気流を導引することができず、上記増風導引板は同時に内と下方へ気流を駆動するため、上記気流は半径方向の風進入口の周縁と上記殻体の内壁面との境界において乱流、渦巻きが生じてしまう。その結果、上記羽根に上記増風導引板を設置することにより、反ってエアによる騒音が増えてしまう。同時に、上記軸流式ファンには風圧を増やす効果を有していない。その結果、実際に使用してみると、上述した問題点によれば上記軸流式ファンの適用範囲とその放熱の効率に対して厳重な影響を及ぼしてしまうという問題点があった。このように、上記のような従来の放熱ファンの殻体構造をさらに改良しなければならない。
【０００６】
本発明はこのような問題点に鑑みて発明したものであって、その目的とするところは、蓋板およびファンホイールのファンモジュールを導風座と組み立てて結合させ、導風座には気流通路が設けられ、気流通路により気流の流動方向を導引したり、または風圧を増やしたりすることができると同時に、蓋板と導風座の間にはさらに複数個の側面風進入口が形成されることにより、風の進入量を増やすことができるため、蓋板とファンホイールのファンモジュールとの組立の設計の自由度を確実に増やすことができると共に、放熱ファンの全体の放熱の効率を高めることができる導風構造を有する放熱ファンを提供しようとするものである。
【０００７】
本発明の第一の目的は、蓋板およびファンホイールのファンモジュールを利用して導風座と組み立てて結合し、導風座により気流を予定された方向へ向かって排出することにより、気流の流動方向を導引すると共に、全体の放熱の効率を高めることができる導風構造を有する放熱ファンを提供しようとするものである。
【０００８】
本発明の第二の目的は、蓋板およびファンホイールのファンモジュールを利用して導風座と組み立てて結合し、さらに蓋板と導風座の間には複数個の側面風進入口が形成されることにより、風進入の総面積が拡大されるため、風の進入量を増やすと共に、全体の放熱の効率を高めることができる導風構造を有する放熱ファンを提供しようとするものである。
【０００９】
本発明の第三の目的は、蓋板およびファンホイールのファンモジュールを利用して導風座と組み立てて結合し、導風座には倒立円錐状の気流通路が形成されることにより、加圧の効果が生じるため、風圧を増やすと共に、全体の放熱の効率を高めることができる導風構造を有する放熱ファンを提供しようとするものである。
【課題を解決するための手段】
【００１０】
上記目的を達成するために、本発明による導風構造を有する放熱ファンは、下記のようになるものである。すなわち、
蓋板、ファンホイール、導風座および複数個の側面風進入口により構成される。蓋板には風進入口と座板が設けられる。ファンホイールの外周面には複数個の羽根が設けられ、ファンホイールは座板に結合されることができる。導風座には気流通路と風排出口が設けられ、ファンホイールの羽根の軸方向の高さは部分的に気流通路の内部に収容される。複数個の側面風進入口は蓋板と導風座の間に形成されることにより、ファンホイールは風進入口と側面風進入口から同期に風を進入させ、そして上記風を風排出口から予定された方向へ向かって排出させる。
【００１１】
本発明による導風構造を有する放熱ファンは、蓋板には複数個の第一結合部が設けられ、導風座には複数個の第二結合部が設けられ、蓋板と導風座は第一結合部と第二結合部により対応するように組み立てて結合することもできる。また、第一結合部は結合孔からなり、さらに第二結合部は結合柱からなることもできる。また、第一結合部は結合柱からなり、さらに第二結合部は結合孔からなることもできる。また、ファンホイールは蓋板の座板の上表面に結合されることもできる。また、ファンホイールは蓋板の座板の下表面に結合されることもできる。また、導風座の気流通路は風排出口側における断面積が風進入口側の断面積より小さくなり、さらに気流通路は倒立円錐状に形成されることにより、加圧の効果が形成されることもできる。また、導風座の気流通路は予定された方向へ向かって傾斜するように形成されることにより、気流を予定された方向へ流動するように導引することもできる。また、蓋板は底面の周縁から下方へ延伸するように複数個の第一支柱が形成され、第一支柱は側面風進入口に位置するように形成されることにより、異物の吸入を防止すると共に、放熱ファンの構造の強度を高めることもできる。また、導風座は上面の周縁から上方へ延伸するように複数個の第二支柱が形成され、第二支柱は側面風進入口に位置するように形成されることにより、異物の吸入を防止すると共に、放熱ファンの構造の強度を高めることもできる。また、蓋板は複数個のリブにより座板に連接されることもできる。また、蓋板のリブはファンホイールの羽根の下方において複数個の導風静的羽根が形成されることにより、気流を導引すると共に風圧を増やすこともできる。また、導風静的羽根は羽根に対して略反対の傾斜角度を有するように形成されることもできる。
【発明の効果】
【００１２】
本発明の導風構造を有する放熱ファンによれば、蓋板およびファンホイールのファンモジュールを利用して導風座と組み立てて結合し、導風座により気流を予定された方向へ向かって排出することにより、気流の流動方向を導引すると共に、全体の放熱の効率を高めることができるという利点がある。
【００１３】
本発明の導風構造を有する放熱ファンによれば、蓋板およびファンホイールのファンモジュールを利用して導風座と組み立てて結合し、さらに蓋板と導風座の間には複数個の側面風進入口が形成されることにより、風進入の総面積が拡大されるため、風の進入量を増やすと共に、全体の放熱の効率を高めることができるという利点がある。
【００１４】
本発明の導風構造を有する放熱ファンによれば、蓋板およびファンホイールのファンモジュールを利用して導風座と組み立てて結合し、導風座には倒立円錐状の気流通路が形成されることにより、加圧の効果が生じるため、風圧を増やすと共に、全体の放熱の効率を高めることができるという利点がある。
【発明を実施するための最良の形態】
【００１５】
本発明の実施の形態について、以下、図面を参照して説明する。
【００１６】
図１は本発明の実施例１の導風構造を有する放熱ファンの分解斜視図で、図２は本発明の実施例１の導風構造を有する放熱ファンによる組み立てられた状態を示す斜視図で、図３は図２のＡ−Ａ線に沿った断面図で、図４は本発明の実施例２の導風構造を有する放熱ファンの分解斜視図で、図５は本発明の実施例２の導風構造を有する放熱ファンによる組み立てられた状態を示す斜視図で、図６は図５のＢ−Ｂ線に沿った断面図で、図７は本発明の実施例３の導風構造を有する放熱ファンの分解斜視図で、図８は本発明の実施例３の導風構造を有する放熱ファンによる組み立てられた状態を示す断面図で、図９は本発明の実施例４の導風構造を有する放熱ファンの分解斜視図で、図１０は本発明の実施例４の導風構造を有する放熱ファンによる組み立てられた状態を示す断面図で、図１１は本発明の実施例５の導風構造を有する放熱ファンの分解斜視図で、図１２は本発明の実施例５の導風構造を有する放熱ファンによる組み立てられた状態を示す断面図である。
【実施例１】
【００１７】
図１、２、３を参照すると、本発明の実施例１の導風構造を有する放熱ファンには蓋板１０、ファンホイール２０および導風座３０が含まれる。蓋板１０はプラスチックまたは金属により製成され、蓋板１０には風進入口１１、座板１２、複数個のリブ１３と複数個の第一結合部１４が設けられる。風進入口１１と座板１２は同心で蓋板１０の中心位置に排列される。リブ１３は風進入口１１の周縁から下方へ折り曲げて形成されるため、座板１２を連接し支持することができる。ファンホイール２０は回動自在に座板１２の上表面に設けられるため、蓋板１０と組み立ててファンモジュール１を形成することができる。ファンホイール２０の外周縁には気流を駆動するための複数個の羽根２１が設けられる。導風座３０はプラスチックまたは金属により製成され、導風座３０には複数個の第二結合部３１、気流通路３２、風排出口３３と複数個の側面風進入口３４が設けられる。第二結合部３１は好ましくは複数個の結合柱からなると共に、蓋板１０の第一結合部１４に対応するように設置される。組立時において、第二結合部３１は複数個の固定部材４０を利用して第一結合部１４に結合することにより、蓋板１０は導風座３０の上に固設される。この時、ファンホイール２０の羽根２１の軸方向の高さは部分的に気流通路３２の内部に適当に収容され、そして蓋板１０と導風座３０の間には適当な隙間を保つように形成されることにより、ファンモジュール１には側面風進入口３４が形成される。また、気流通路３２は気流を風排出口３３に導引して排出することができ、風排出口３３は予定された方向に向かうように設置され、例えば導風座３０の真下方の位置に設置される。
【００１８】
再び図３を参照すると、ファンホイール２０が運転時において、ファンホイール２０の羽根２１は風進入口１１と側面風進入口３４から同期に気流を吸入することができ、さらに気流を導風座３０の真下方の位置から排出することができるため、放熱しようとする物件（図示せず、例えば電源供給器またはパソコンの殻体）に対して放熱または気流の交換を行なうことができる。ファンホイール２０は余分に側面風進入口３４から風を進入させることができるため、風の進入量を相対的に増やすことができる。また、導風座３０の気流通路３２は気流を予定された方向に向かって排出することができるため、気流の流動方向を導引することができる。このように、本発明の放熱ファンによれば、予定された位置における放熱しようとする物件に対して放熱の効率を高めることができる。さらに、本発明において第一結合部１４と第二結合部３１は製品の使用上の需要性に応じてその他の結合の方式を選択することができ、例えば係合、溶接または粘着などの方式を選択することができる。
【実施例２】
【００１９】
図４、５、６を参照すると、本発明の実施例２の導風構造を有する放熱ファンが掲示される。実施例１と比較すると、実施例２にも同様に蓋板１０、ファンホイール２０および導風座３０が含まれるが、蓋板１０とファンホイール２０は吊下げ式のファンモジュール１に形成される。この時、蓋板１０のリブ１３は直接風進入口１１の周縁から半径方向へ内へ延伸するように形成されるため、座板１２を連接し支持することができる。第一結合部１４は複数個の結合柱に変更される。ファンホイール２０は回動自在に座板１２の下表面に設けられ、そして蓋板１０と組み立てて吊下げ式のファンモジュール１を形成することができる。導風座３０の第二結合部３１は複数個の結合孔に変更される。組立時において、第一結合部１４は複数個の固定部材４０を利用して第二結合部３１に結合することにより、蓋板１０は導風座３０の上に固設される。ファンホイール２０の羽根２１の軸方向の高さは部分的に気流通路３２の内部に適当に収容され、そして蓋板１０と導風座３０の間には側面風進入口３４が形成される。
【００２０】
再び図６を参照すると、ファンホイール２０が運転時において、ファンホイール２０も同様に余分に側面風進入口３４から風を進入させることができ、さらに導風座３０の気流通路３２も気流を予定された方向に向かって排出することができるため、同様に風の進入量を相対的に増やし、気流の流動方向を導引することができ、さらに予定された位置における放熱しようとする物件に対して放熱の効率を高めることができる。
【実施例３】
【００２１】
図７、８を参照すると、本発明の実施例３の導風構造を有する放熱ファンが掲示される。実施例１と比較すると、実施例３において導風座３０の気流通路３２は倒立円錐状に形成され、すなわち気流通路３２の風排出口３３側における断面積は風進入口１１側の断面積より小さくなるため、気流が倒立円錐状の気流通路３２を通過して風排出口３３から排出された時、気流を集中させることにより、加圧の効果が形成される。このように、実施例３の放熱ファンによれば、予定された位置における放熱しようとする物件に対して放熱の効率を高めることができる。また、実施例３の導風座３０も例えば実施例１または実施例２のファンモジュール１と合わせて使用することにより、放熱ファンの適用範囲と組立の自由度を増やすことができる。
【実施例４】
【００２２】
図９、１０を参照すると、本発明の実施例４の導風構造を有する放熱ファンが掲示される。実施例２と比較すると、実施例４において導風座３０の気流通路３２は予定された方向へ向かって傾斜するように形成され、例えば左側へ向かって傾斜するように形成される。これにより、運転時においてファンホイール２０の羽根２１は先ず風進入口１１と側面風進入口３４から気流を吸入し、それから傾斜状の気流通路３２により気流を左へ傾斜した風排出口３３へ導引して排出させることができるため、実施例４の放熱ファンによれば真下方の予定された位置（左側へ偏り）における放熱しようとする物件に対して放熱を行うことができる。また、実施例４の導風座３０も例えば実施例１または実施例２のファンモジュール１と合わせて使用することにより、放熱ファンの適用範囲と組立の自由度を増やすことができる。
【実施例５】
【００２３】
図１１、１２を参照すると、本発明の実施例５の導風構造を有する放熱ファンが掲示される。実施例３と比較すると、実施例５において蓋板１０は底面の周縁から下方へ延伸するように複数個の第一支柱１５が形成され、さらに導風座３０は上面の周縁から上方へ延伸するように複数個の第二支柱３５が形成される。蓋板１０と導風座３０を組み立てて結合した時、第一支柱１５と第二支柱３５は側面風進入口３４の位置に形成されるため、ファンホイール２０が触られるのを避けることができ、さらに異物の吸入を防止すると共に、放熱ファンの構造の強度を高めることができる。また、蓋板１０のリブ１３はファンホイール２０の羽根２１の下方において複数個の導風静的羽根１３１が形成され、導風静的羽根１３１は羽根２１に対して略反対の傾斜角度を有するように形成されるため、気流をスムースに導引すると共に、風圧を相対的に増やすことができる。
【００２４】
その他に、図３、６、８、１０を参照すると、本発明における側面風進入口３４のサイズ、導風座３０の気流通路３２の形式、ファンホイール２０の羽根２１の形式、第一結合部１４と第二結合部３１の結合方式などは、全て放熱しようとする物件のサイズ、設置の位置、形状と放熱の需要性に応じて変化を選ぶことができるため、組立と設計の自由度を相対的に増やすことができる。
【産業上の利用可能性】
【００２５】
上述の如く、放熱ファンの殻体構造によれば、蓋板とファンホイールは気流の流動を予定された方向へ導引し集中させることができないため、風の進入量と風圧を増やすことができないという問題点があったが、図１に示す本発明の導風構造を有する放熱ファンによれば、蓋板１０とファンホイール２０からなるファンモジュール１を導風座３０と組み立てて結合することにより、放熱ファンは気流の流動方向を集中するように導引し、風の進入量を増やし、風圧を高め、適用の範囲を増やし、さらに組み立ての設計の自由度を高めることができる。
【００２６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本発明の実施例１の導風構造を有する放熱ファンの分解斜視図である。
【図２】本発明の実施例１の導風構造を有する放熱ファンによる組み立てられた状態を示す斜視図である。
【図３】図２のＡ−Ａ線に沿った断面図である。
【図４】本発明の実施例２の導風構造を有する放熱ファンの分解斜視図である。
【図５】本発明の実施例２の導風構造を有する放熱ファンによる組み立てられた状態を示す斜視図である。
【図６】図５のＢ−Ｂ線に沿った断面図である。
【図７】本発明の実施例３の導風構造を有する放熱ファンの分解斜視図である。
【図８】本発明の実施例３の導風構造を有する放熱ファンによる組み立てられた状態を示す断面図である。
【図９】本発明の実施例４の導風構造を有する放熱ファンの分解斜視図である。
【図１０】本発明の実施例４の導風構造を有する放熱ファンによる組み立てられた状態を示す断面図である。
【図１１】本発明の実施例５の導風構造を有する放熱ファンの分解斜視図である。
【図１２】本発明の実施例５の導風構造を有する放熱ファンによる組み立てられた状態を示す断面図である。
【符号の説明】
【００２８】
１    ファンモジュール              １０    蓋板
１１    風進入口                      １２    座板
１３    リブ                          １４    第一結合部
１５    第一支柱                      ２０    ファンホイール
２１    羽根                          ３０    導風座
３１    第二結合部                    ３２    気流通路
３３    風排出口                      ３４    側面風進入口
３５    第二支柱                      ４０    固定部材
【図１】
2005127308.tif 000003
【図２】
2005127308.tif 000004
【図３】
2005127308.tif 000005
【図４】
2005127308.tif 000006
【図５】
2005127308.tif 000007
【図６】
2005127308.tif 000008
【図７】
2005127308.tif 000009
【図８】
2005127308.tif 000010
【図９】
2005127308.tif 000011
【図１０】
2005127308.tif 000012
【図１１】
2005127308.tif 000013
【図１２】
2005127308.tif 000014